【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
複数のシートが剥離可能に貼り合わせられた印刷物であって、
貼り合わせ状態において一番外側にくるシートに、該シートの一部の領域が周囲から切り離し可能となるように形成された切り離し線，
該切り離し線で囲まれた切り離し可能部分の表面に表示された情報，
前記切り離し可能部分の裏面に、格子状に形成された複数のマス目，
該マス目に形成されており、インターネット上の所定のホームページへのアクセス情報が記録された少なくとも一つの二次元バーコード，
を備えるとともに、
前記切り離し可能部分の裏面のうち、前記複数のマス目を除く前記裏面の縁部全周と、前記複数のマス目を区切る格子状の部分に設けた接着剤により、前記切り離し可能部分の裏面を、相対向するシートに剥離可能に接着し、
前記複数のマス目のうち、前記二次元バーコードが設けられていないマス目の少なくとも一つを、押印用としたことを特徴とする印刷物。
【請求項２】
前記二次元バーコードが形成されたマス目に、スクラッチ加工を施したことを特徴とする請求項１記載の印刷物。
【請求項３】
前記切り離し線が形成されるシートに、前記相対向するシートの表面の一部が露出するように形成された開口部ないし切れ込み，
を備えたことを特徴とする請求項１又は２に記載の印刷物。
【請求項４】
前記相対向するシートの表面に、前記切り離し可能部分との接着部と異なる位置に設けられており、前記切り離し可能部分の表面に表示された情報と対応するコード情報，
を備えるとともに、
前記開口部ないし切れ込みを、前記コード情報が露出する位置に設けたことを特徴とする請求項３記載の印刷物。
【請求項５】
前記印刷物は、前記複数のシートが一つ以上の折り線を介して連接されるとともに、該折り線に沿って折り返した状態で剥離可能に接着されていることを特徴とする請求項１〜４のいずれか一項に記載の印刷物。
【請求項６】
前記折り線に沿って折り返した状態の複数のシートのうちのいずれかのシートに、更に他のシートを剥離可能かつ分離可能に接着したことを特徴とする請求項５記載の印刷物。
【請求項７】
請求項１〜６のいずれか一項に記載の印刷物を、他のシートとともに製本したことを特徴とする印刷物。
【請求項８】
前記切り離し可能部分に表示された情報が、宛名情報であることを特徴とする請求項１〜７のいずれか一項に記載の印刷物。
【手続補正２】
【補正対象書類名】明細書
【補正対象項目名】０００６
【補正方法】変更
【補正の内容】
【０００６】
前記目的を達成するため、本発明は、複数のシートが剥離可能に貼り合わせられた印刷物であって、貼り合わせ状態において一番外側にくるシートに、該シートの一部の領域が周囲から切り離し可能となるように形成された切り離し線，該切り離し線で囲まれた切り離し可能部分の表面に表示された情報，前記切り離し可能部分の裏面に、格子状に形成された複数のマス目，該マス目に形成されており、インターネット上の所定のホームページへのアクセス情報が記録された少なくとも一つの二次元バーコード，を備えるとともに、前記切り離し可能部分の裏面のうち、前記複数のマス目を除く前記裏面の縁部全周と、前記複数のマス目を区切る格子状の部分に設けた接着剤により、前記切り離し可能部分の裏面を、相対向するシートに剥離可能に接着し、前記複数のマス目のうち、前記二次元バーコードが設けられていないマス目の少なくとも一つを、押印用としたことを特徴とする。
【手続補正３】
【補正対象書類名】明細書
【補正対象項目名】０００７
【補正方法】変更
【補正の内容】
【０００７】
主要な形態の一つは、前記二次元バーコードが形成されたマス目に、スクラッチ加工を施したことを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
他の形態は、前記切り離し線が形成されるシートに、前記相対向するシートの表面の一部が露出するように形成された開口部ないし切れ込み，を備えたことを特徴とする。更に他の形態は、前記相対向するシートの表面に、前記切り離し可能部分との接着部と異なる位置に設けられており、前記切り離し可能部分の表面に表示された情報と対応するコード情報，を備えるとともに、前記開口部ないし切れ込みを、前記コード情報が露出する位置に設けたことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
更に他の形態は、前記印刷物は、前記複数のシートが一つ以上の折り線を介して連接されるとともに、該折り線に沿って折り返した状態で剥離可能に接着されていることを特徴とする。更に他の形態は、前記折り線に沿って折り返した状態の複数のシートのうちのいずれかのシートに、更に他のシートを剥離可能かつ分離可能に接着したことを特徴とする。更に他の形態は、前記いずれかに記載の印刷物を、他のシートとともに製本したことを特徴とする。
【手続補正１０】
【補正対象書類名】明細書
【補正対象項目名】００１５
【補正方法】変更
【補正の内容】
【００１５】
本発明によれば、複数のシートが剥離可能に貼り合わせられた状態で一番外側にくるシートに表示された情報を、切り離し線で囲んで前記シートから切り離し可能にするとともに、該切り離し可能部分の裏面に、格子状の複数のマス目を設け、該マス目にインターネット上の所定のホームページへのアクセス情報を記録した二次元バーコードを少なくとも一つ形成する。そして、前記切り離し可能部分の裏面のうち、前記複数のマスを除く縁部全周と、マス目の区切りの格子状の部分に接着剤を設けて相対向するシートに接着するとともに、マス目には接着剤を設けないこととした。このため、前記切り離し可能部分が容易にシートから脱落することを防止できるとともに、マス目に接着剤が設けられていないため、マス目を押印用に利用することができる。また、切り離し可能部分をシートから切り離すことで、該切り離し可能部分に設けられた情報をそのまま利用できる。更に、二次元バーコードを読み込むことで、簡単に所定のホームページにアクセスできるという効果が得られる。
【手続補正１１】
【補正対象書類名】明細書
【補正対象項目名】００６９
【補正方法】変更
【補正の内容】
【００６９】
本発明によれば、複数のシートが剥離可能に貼り合わせられた状態で一番外側にくるシートに表示された情報を、切り離し線で囲んで前記シートから切り離し可能にするとともに、該切り離し可能部分の裏面に、格子状の複数のマス目を設け、該マス目にインターネット上の所定のホームページへのアクセス情報を記録した二次元バーコードを少なくとも一つ形成する。そして、前記切り離し可能部分の裏面のうち、前記複数のマス目を除く縁部全周と、マス目の区切りの格子状の部分に接着剤を設けて相対向するシートに接着するとともに、マス目には接着剤を設けないこととした。このため、前記切り離し可能部分が容易にシートから脱落することを防止できるとともに、マス目に接着剤が設けられていないため、マス目を押印用に使用できる。また、切り離し可能部分をシートから切り離すことで、該切り離し可能部分に設けられた情報をそのまま利用できる。更に、二次元バーコードを読み込むことで、簡単に所定のホームページにアクセスできる。このため、前記マス目を利用したポイントカードやスタンプカードなどの印刷物に適用できる。